(57)【要約】      （修正有）【課題】コンベヤ送り側のローラ間から落下した被分別物がコンベヤ戻り側のローラ間に挟まることをなくすこと。また、コンベヤ送り側でローラ間に挟まった被分別物をコンベヤ戻り側で確実にローラ間から除去すること。【解決手段】搬送方向と直交する方向にかつ前記搬送方向に等間隔をあけて配された複数本のローラ２が駆動用チェーン４によってスプロケット３Ａ、３Ｂ間をエンドレスに周回するチェーンコンベヤ１と、コンベヤ送り側において各ローラ２をガイドする上部ガイドレール７とを備え、ローラ群を構成する２本のローラ２Ａ、２Ｂは、互いにリンク板５により連結され、ローラ群の中の１本のローラ２Ａは、チェーン４に軸支され、かくして、コンベヤ戻り側において、チェーン４に軸支されていないローラ２Ｂがリンク板５を介して垂直に垂れ下がることによって、コンベヤ送り側のローラ間隔ｔ1よりコンベヤ戻り側のローラ間隔ｔ2の方が広く形成される。【選択図】図１
2005279572.tif 000002
【特許請求の範囲】
【請求項１】
搬送方向と直交する方向にかつ前記搬送方向に等間隔をあけて配された複数本の横桟が駆動用チェーンによってエンドレスに周回するチェーンコンベヤと、コンベヤ送り側において前記横桟の下部に配された、前記横桟をガイドする上部ガイドレールとを備え、前記横桟は、複数の横桟群に分割され、前記横桟群の横桟は、互いにリンク板により連結され、前記横桟群の中の１本の横桟は、前記チェーンに軸支され、かくして、コンベヤ戻り側において、前記チェーンに軸支されていない横桟が前記リンク板を介して垂直に垂れ下がることによって、コンベヤ送り側の横桟間隔よりコンベヤ戻り側の横桟間隔の方が広く形成されることを特徴とする分別搬送装置。
【請求項２】
搬送方向と直交する方向にかつ前記搬送方向に等間隔をあけて配された複数本の横桟が駆動用チェーンによってエンドレスに周回するチェーンコンベヤと、コンベヤ送り側において前記横桟の下部に配された、前記横桟をガイドする上部ガイドレールとを備え、前記横桟は、複数の横桟群に分割され、前記横桟群の各横桟は、リンク板を介して前記チェーンに軸支され、かくして、コンベヤ戻り側において、前記横桟が前記リンク板を介して垂直に垂れ下がることによって、前記送り側の横桟間隔よりコンベヤ戻り側の横桟間隔の方が広く形成されることを特徴とする分別搬送装置。
【請求項３】
前記横桟は、ローラからなり、前記ローラは、前記上部ガイドレール上を回転しながら移動することを特徴とする、請求項１または２記載の分別搬送装置。
【請求項４】
前記上部ガイドレールの上面の摩擦抵抗を増加させてあることを特徴とする、請求項３記載の分別搬送装置。
【請求項５】
前記上部ガイドレールのコンベヤ送り側の終端部のローラ回転面は、内側に湾曲していることを特徴とする、請求項３または４記載の分別搬送装置。
【請求項６】
コンベヤ送り側からコンベヤ戻り側への反転端に、端部ガイドレールが設けられていることを特徴とする、請求項３から５の何れか１つに記載の分別搬送装置。
【請求項７】
コンベヤ送り側の終端部に、コンベヤ送り側の前記横桟間から落下しなかった被分別物の回収手段が設けられていることを特徴とする、請求項１から６の何れか１つに記載の分別搬送装置。
【請求項８】
コンベヤ戻り側の下方部に、コンベヤ送り側の前記横桟間から落下した被分別物の回収手段が設けられていることを特徴とする、請求項１から７の何れか１つに記載の分別搬送装置。
【発明の詳細な説明】
【技術分野】
【０００１】
この発明は、複数本の横桟がエンドレスに周回するチェーンコンベヤを備えた分別搬送装置であって、特に、コンベヤ送り側の横桟間から落下した被分別物がコンベヤ戻り側の横桟間に挟まる恐れがなく、しかも、コンベヤ送り側の横桟間に挟まった被分別物がコンベヤ戻り側において横桟間から確実に除去される分別搬送装置に関するものである。
【背景技術】
【０００２】
近年、廃棄物リサイクルの一環として、びん、缶、ペットボトル等の回収・選別が行われている。例えば、廃棄された各種ガラスびんを回収し、再利用するには、茶色、グリーン、透明等の色別にびんを分別する必要がある。近年、この色別の分別を自動的に行う自動分別装置が開発されたが、人手による分別も行われている。何れの色別分別方法による場合も重要なことは、分別するびんと一緒に、割れたびんの小片（以下、カレットという。）が混入していないことである。これは、カレット、特に小さなカレットを色別に分別することができない等、カレットが混入していると、後工程でゴム部品を摩耗・損傷する等の種々のトラブルの原因となると共に、びんの色別の分別能率が著しく低下するからである。
【０００３】
従来、びんとカレットとを分別する装置が特許文献１に開示されている。以下、この従来の分別搬送装置を、図面を参照しながら説明する。
【０００４】
図６は、従来の分別搬送装置を示す概略正面図である。
【０００５】
図６に示すように、従来の分別搬送装置は、搬送方向と直交する方向にかつ前記搬送方向に間隔をあけて配された複数本の横桟１３が駆動用チェーン１４によってスプロケット１５間をエンドレスに周回するチェーンコンベヤ１２と、チェーンコンベヤ１２の送り側の横桟１３の下方に搬送方向と平行に配された複数本の縦桟１６とを備えている。
【０００６】
従来の分別搬送装置によれば、投入シュート１７からチェーンコンベヤ１２上にびん１８が投入されると、びん１８と一緒に投入されるカレット１９は、チェーンコンベヤ１２により送られる過程で横桟１３と縦桟１６とによって形成されるふるい目を通過して、チェーンコンベヤ１２の下方、すなわち、コンベヤ戻り側の下方に設置されたホッパ２０に落下し、排出される。一方、びん１８は、横桟１３により送られてコンベヤ送り側の終端部に設置された搬送コンベヤ２１上に落下し、びんの色別の分別工程に搬送される。
【０００７】
上述した、従来の分別搬送装置によれば、びん１８とカレット１９とを自動的に分別することができる。
【０００８】
【特許文献１】特開平１０−２３５２９２号公報
【発明の開示】
【発明が解決しようとする課題】
【０００９】
しかしながら、従来の分別搬送装置は、以下のような問題があった。
【００１０】
（１）横桟１３の間隔（ｔ3）が全周に亘って同じであるので、コンベヤ送り側のふるい目を通過したカレット１９がコンベヤ戻り側の横桟１３間に挟まり、カレット１９が挟まった横桟１３がコンベヤ送り側に移動すると目詰り状態となって、分別に支障を来たす恐れがあった。
【００１１】
（２）横桟１３の間隔（ｔ3）が全周に亘って同じであるので、コンベヤ送り側において、びんに混入したペットボトル等が横桟１３間に挟まると、これがコンベヤ戻り側でも除去されず、そのまま周回して、分別に支障を来たす。
【００１２】
（３）カレット１９がコンベヤ戻り側の横桟１３間に挟まることを防止するには、ホッパやカレット引出しコンベヤ等のカレット回収手段をコンベヤ送り側とコンベヤ戻り側との間に設置すれば良いが、このようにすると、コンベヤ送り側とコンベヤ戻り側との間隔が大きく開いてしまう結果、分別搬送装置が大型化し、好ましくない。
【００１３】
従って、この発明の目的は、コンベヤ戻り側の横桟間隔をコンベヤ送り側の横桟間隔より広く形成することによって、コンベヤ送り側の横桟間から落下した被分別物がコンベヤ戻り側の横桟間に挟まることをなくし、これによって、分別されたふるい下被分別物の回収手段をコンベヤ戻り側の下方に設置することを可能とし、この結果、装置を小型化でき、また、コンベヤ送り側で横桟間に挟まった被分別物をコンベヤ戻り側で確実に横桟間から除去することができ、さらに、横桟をローラとすることによって、分別効率をさらに高めることが可能な分別搬送装置を提供することにある。
【課題を解決するための手段】
【００１４】
この発明は、上述の目的を達成するためになされたものであり、下記を特徴とするものである。
【００１５】
請求項１記載の発明は、搬送方向と直交する方向にかつ前記搬送方向に等間隔をあけて配された複数本の横桟が駆動用チェーンによってエンドレスに周回するチェーンコンベヤと、コンベヤ送り側において前記横桟の下部に配された、前記横桟をガイドする上部ガイドレールとを備え、前記横桟は、複数の横桟群に分割され、前記横桟群の横桟は、互いにリンク板により連結され、前記横桟群の中の１本の横桟は、前記チェーンに軸支され、かくして、コンベヤ戻り側において、前記チェーンに軸支されていない横桟が前記リンク板を介して垂直に垂れ下がることによって、コンベヤ送り側の横桟間隔よりコンベヤ戻り側の横桟間隔の方が広く形成されることに特徴を有するものである。
【００１６】
請求項２記載の発明は、搬送方向と直交する方向にかつ前記搬送方向に等間隔をあけて配された複数本の横桟が駆動用チェーンによってエンドレスに周回するチェーンコンベヤと、コンベヤ送り側において前記横桟の下部に配された、前記横桟をガイドする上部ガイドレールとを備え、前記横桟は、複数の横桟群に分割され、前記横桟群の各横桟は、リンク板を介して前記チェーンに軸支され、かくして、コンベヤ戻り側において、前記横桟が前記リンク板を介して垂直に垂れ下がることによって、前記送り側の横桟間隔よりコンベヤ戻り側の横桟間隔の方が広く形成されることに特徴を有するものである。
【００１７】
請求項３記載の発明は、請求項１または２記載の発明において、横桟は、ローラからなり、前記ローラは、前記上部ガイドレール上を回転しながら移動することに特徴を有するものである。
【００１８】
請求項４記載の発明は、請求項３記載の発明において、上部ガイドレールの上面の摩擦抵抗を増加させてあることに特徴を有するものである。
【００１９】
請求項５記載の発明は、請求項３または４記載の発明において、上部ガイドレールのコンベヤ送り側の終端部のローラ回転面は、内側に湾曲していることに特徴を有するものである。
【００２０】
請求項６記載の発明は、請求項３から５の何れか１つに記載の発明において、コンベヤ送り側からコンベヤ戻り側への反転端に、端部ガイドレールが設けられていることに特徴を有するものである。
【００２１】
請求項７記載の発明は、請求項１から６の何れか１つに記載の発明において、コンベヤ送り側の終端部に、コンベヤ送り側の前記横桟間から落下しなかった被分別物の回収手段が設けられていることに特徴を有するものである。
【００２２】
請求項８記載の発明は、請求項１から７の何れか１つに記載の発明において、コンベヤ戻り側の下方部に、コンベヤ送り側の前記横桟間から落下した被分別物の回収手段が設けられていることに特徴を有するものである。
【発明の効果】
【００２３】
この発明によれば、コンベヤ戻り側の横桟間隔をコンベヤ送り側の横桟間隔より広く形成することによって、コンベヤ送り側の横桟間から落下した被分別物がコンベヤ戻り側の横桟間に挟まることをなくし、これによって、分別されたふるい下被分別物の回収手段をコンベヤ戻り側の下方に設置することを可能とし、この結果、装置を小型化できる。また、コンベヤ送り側で横桟間に挟まった被分別物をコンベヤ戻り側で確実に横桟間から除去することができる。さらに、横桟をローラとすることによって、分別効率をさらに高めることが可能となる。
【発明を実施するための最良の形態】
【００２４】
この発明の分別搬送装置の一実施形態を、被分別物としてびんを、そして、横桟をローラとした場合を例にとって、図面を参照しながら説明する。なお、被分別物としては、びん以外に缶、ペットボトル等であっても、あるいは、これらの混合物であっても良い。
【００２５】
図１は、この発明の分別搬送装置を示す概略正面図、図２は、この発明の分別搬送装置を示す部分平面図である。
【００２６】
図１および図２において、１は、チェーンコンベヤであり、搬送方向と直交する方向にかつ前記搬送方向に等間隔をあけて配された複数本のローラ２と、ローラ２を駆動側スプロケット３Ａと従動側スプロケット３Ｂとの間をエンドレスに周回させる駆動用チェーン４とを備えている。なお、チェーンコンベヤ１の上部両側には、仕切り（図示せず）が設けられていて、後述するびん投入用シュート９からチェーンコンベヤ１上に投入されたカレットを含むびんがコンベヤ外にこぼれないようになっている。
【００２７】
ローラ２は、複数のローラ群（Ｓ）に分割されている。この例では、ローラ群（Ｓ）は、２本のローラ２Ａ、２Ｂによって構成されている。ローラ２Ａ、２Ｂは、互いにリンク板５により連結され、一方のローラ２Ａのみが軸６によりチェーン４に回転自在に取り付けられている。これによって、他方のローラ２Ｂは、一方のローラ２Ａに対してリンク板５を介してフリーに取り付けられることになる。この結果、フリーのローラ２Ｂは、コンベヤ戻り側において、その自重によりリンク板５を介して垂直に垂れ下がる。かくして、コンベヤ戻り側のローラ間隔（ｔ2）は、コンベヤ送り側のローラ間隔（ｔ1）の２倍の間隔（２ｔ1）となる。ローラ群（Ｓ）を構成するローラの数が増えるほど、コンベヤ戻り側のローラ間隔が広くなる。
【００２８】
７は、コンベヤ送り側において各ローラ２をガイドする一対の上部ガイドレールである。上部ガイドレール７は、ローラ２を回転させるために、ローラ２の両端下部に平行に水平に設けられている。上部ガイドレール７の上面には、ローラ２との摩擦抵抗を増加させるため、および、ローラ２の接触回転音を低減させるためにゴム板等（図示せず）を貼り付けると良い。各ローラ２が上部ガイドレール７上を回転しながら移動することによって、ローラ２上のカレットは、ローラ２間から落下しやすくなる。上部ガイドレール７の両端部は、スプロケット３Ａ、３Ｂの曲率に合わせて円弧状に湾曲している。コンベヤ送り側の終端部のローラ回転面（Ｐ）は、内側に湾曲している。これは、フリーのローラ２Ｂがコンベヤ送り側からコンベヤ戻り側に反転する際に、フリーのローラ２Ｂをなるべく駆動側スプロケット３Ａの回転中心側に傾動させることによって、フリーのローラ２Ｂが後述する端部ガイドレール８に至る前に、図１中一点鎖線で示すように、外方に外れることを防止するためである。
【００２９】
８は、コンベヤ送り側からコンベヤ戻り側への反転端に設けられた一対の端部ガイドレールである。端部ガイドレール８は、上部ガイドレール７と同一間隔をあけて円弧状に湾曲させて設けられている。端部ガイドレール８は、フリーのローラ２Ｂがコンベヤ送り側からコンベヤ戻り側に反転する際に、フリーのローラ２Ｂをガイドして、これを円滑に反転させるものである。すなわち、端部ガイドレール８がないとフリーのローラ２Ｂが勢いよく反転し、チェーン４に取り付けられた一方のローラ２Ａから垂れ下がるので、この時の反動により生じる振動や騒音を軽減するものである。端部ガイドレール８の内面にゴム板等（図示せず）を貼り付けておけば、ローラ２Ｂとの接触により生じる騒音を低減することができる。
【００３０】
９は、コンベヤ送り側の始端部上に設けられたびん投入用シュートである。ここからカレットが混入したびんがチェーンコンベヤ１上に投入される。びん投入用シュート９の上面にゴム板等を貼り付けておけば、コンベヤ送り側の終端部のローラ回転部（Ｐ）および端部ガイドレール８と同様に、びん投入時の騒音およびびんの割れを防止することができる。
【００３１】
１０は、コンベヤ送り側の終端部、すなわち、一対の端部ガイドレール８の下部間に設けられたふるい上被分別物の回収手段としてのびん回収用シュートである。びん回収用シュート１０により回収されるものには、分別されたびんの他、コンベヤ送り側のローラ２間から落下しない大きさのふるい上カレットも含まれる。ふるい上被分別物の回収手段としては、シュート１０以外に、分別されたびんをびんの色別の分別工程に搬送する搬送コンベヤであっても良い。
【００３２】
１１は、コンベヤ戻り側の下方部に設けられた、コンベヤ戻り側のローラ２Ａ間から落下したふるい下被分別物の回収手段としてのホッパである。ふるい下被分別物の回収手段としては、ホッパ１１以外にカレット引出しコンベヤ等であっても良い。ホッパ１１により回収されたカレットは、ピット（図示せず）に溜めておいても、あるいは、搬送コンベヤ（図示せず）により搬送しても良い。
【００３３】
以上のように構成されている、この発明の分別搬送装置によれば、以下のようにして、びんとカレットとが分別される。
【００３４】
びん投入用シュート９からカレットが混入したびんがチェーンコンベヤ１上に投入されると、これらはコンベヤ送り側始端部から終端部に向って水平に移動するローラ２Ａ、２Ｂによって連続的に搬送される。この搬送過程においてカレットは、コンベヤ送り側のローラ２Ａ、２Ｂ間から落下する。この際、コンベヤ送り側のローラ２Ａ、２Ｂは、上部ガイドレール７上を回転しながら移動するので、ローラ２Ａ、２Ｂ上のカレットは、ローラ２Ａ、２Ｂ間から落下しやすい。
【００３５】
ローラ２Ａ、２Ｂがコンベヤ送り側終端部まで移動すると、びんは、びん回収用シュート１０を介して回収される。ローラ２Ａ、２Ｂがコンベヤ送り側から戻り側に反転する際、フリーのローラ２Ｂは、端部ガイドレール８によってガイドされながら反転するので、ローラ２Ｂの反転時の反動により生じる振動や騒音は大幅に軽減される。フリーのローラ２Ｂが完全に反転すると、ローラ２Ｂは、チェーン４に軸支されたローラ２Ａから自重により垂直に垂れ下がる。この結果、コンベヤ戻り側のローラ間隔（ｔ2）は、コンベヤ送り側のローラ間隔（ｔ1）に比べて２倍の間隔に広がる。従って、ローラ２Ａ、２Ｂ間から落下したカレットがコンベヤ戻り側のローラ２Ａ間に挟まる恐れはない。また、コンベヤ戻り側のローラ間隔が広がることによって、コンベヤ送り側で隣り合うローラ群（Ｓ）のローラ２Ａ、２Ｂ間に挟まった被分別物は、コンベヤ戻り側で確実にローラ２Ａ、２Ｂ間から除去される。
【００３６】
ローラ２Ａ、２Ｂは、この状態を維持してコンベヤ戻り側終端部まで移動し、再び、上部ガイドレール７上を回転する。
【００３７】
このようにしてびんとカレットとが確実に分別される。分別されたびんには、コンベヤ送り側のローラ２間から落下しない大きさのカレットも含まれる。
【００３８】
この分別搬送装置によれば、上述したように、ローラ間から落下したカレットがコンベヤ戻り側のローラ間に挟まる恐れはないので、ホッパやカレット引出しコンベヤ等のふるい下被分別物の回収手段をコンベヤ戻り側の下方部に設けることができる。従って、ふるい下被分別物の回収手段をコンベヤ送り側とコンベヤ戻り側との間に設置する場合に比べて、分別搬送装置の小型化を図ることができる。また、コンベヤ送り側でローラ間に挟まった被分別物をコンベヤ戻り側で確実にローラ間から除去することができる。さらに、コンベヤ送り側のローラが回転することによって、分別効率をさらに高めることが可能となる。
【００３９】
次に、この発明の他の分別搬送装置を、図面を参照しながら説明する。
【００４０】
図３は、この発明の他の分別搬送装置を示す概略正面図、図４は、この発明の他の分別搬送装置を示す部分平面図、図５は、この発明の他の分別搬送装置を示す部分斜視図である。
【００４１】
図３から図５において、１は、チェーンコンベヤであり、搬送方向と直交する方向にかつ前記搬送方向に等間隔をあけて配された複数本のローラ２と、ローラ２を駆動側スプロケット３Ａと従動側スプロケット３Ｂ間をエンドレスに周回させる駆動用チェーン４とを備えている。なお、チェーンコンベヤ１の上部両側には、仕切り（図示せず）が設けられていて、後述するびん投入用シュート９からチェーンコンベヤ１上に投入されたカレットを含むびんがコンベヤ外にこぼれないようになっている。
【００４２】
ローラ２は、複数のローラ群（Ｓ）に分割されている。この例では、ローラ群（Ｓ）は、２本のローラ２Ａ、２Ｂによって構成されている。ローラ２Ａ、２Ｂの各々は、リンク板５Ａ、５Ｂを介して共通な軸６によりチェーン４に軸支されている。これによって、ローラ２Ａ、２Ｂは、軸６を中心としてリンク板５Ａ、５Ｂを介してフリーに取り付けられることになる。この結果、ローラ２Ａ、２Ｂは、コンベヤ戻り側において、その自重によりリンク板５Ａ、５Ｂを介して垂直に垂れ下がる。かくして、コンベヤ戻り側のローラ間隔（ｔ2）は、コンベヤ送り側のローラ間隔（ｔ1）の２倍の間隔（２ｔ1）となる。
【００４３】
ローラ群（Ｓ）を構成するローラの数が増えるほど、コンベヤ戻り側のローラ間隔が広くなる。なお、ローラ２が端部ガイドレール８を抜け出る直前のローラ間隔（ｔ4）は、抜け出た後のローラ間隔（ｔ2）より広い。また、コンベヤ送り側からコンベヤ戻り側への反転端では、ローラ２Ａとローラ２Ｂとは、リンク板５Ａ、５Ｂにより軸６を中心としてそれぞれ個別に転動可能である。従って、コンベヤ送り側でローラ間に挟まったペットボトル等の被分別物をコンベヤ戻り側でさらに確実にローラ間から除去することができる。
【００４４】
７は、コンベヤ送り側において各ローラ２をガイドする一対の上部ガイドレールである。上部ガイドレール７は、ローラ２の両端下部に平行に水平に設けられている。上部ガイドレール７の上面には、ローラ２との摩擦抵抗を増加させるため、および、ローラ２の接触回転音を低減させるためにゴム板等（図示せず）を貼り付けると良い。各ローラ２が上部ガイドレール７上を回転しながら移動することによって、ローラ２上のカレットは、ローラ２間から落下しやすくなる。上部ガイドレール７の両端部は、スプロケット３Ａ、３Ｂの曲率に合わせて円弧状に湾曲している。コンベヤ送り側の終端部のローラ回転面（Ｐ）は、内側に湾曲している。これは、ローラ２Ａ、２Ｂがコンベヤ送り側からコンベヤ戻り側に反転する際に、ローラ２Ａ、２Ｂをなるべく駆動側スプロケット３Ａの回転中心側に傾動させることによって、ローラ２Ａ、２Ｂが後述する端部ガイドレール８に至る前に、図３中一点鎖線で示すように、外方に外れることを防止するためである。
【００４５】
８は、コンベヤ送り側からコンベヤ戻り側への反転端に設けられた一対の端部ガイドレールである。端部ガイドレール８は、上部ガイドレール７と同一間隔をあけて円弧状に湾曲させて設けられている。端部ガイドレール８は、ローラ２Ａ、２Ｂがコンベヤ送り側からコンベヤ戻り側に反転する際に、ローラ２Ａ、２Ｂをガイドして、これを円滑に反転させるものである。すなわち、端部ガイドレール８がないとローラ２Ａ、２Ｂが勢いよく反転し、チェーン４から垂れ下がるので、この時の反動により生じる振動や騒音を軽減するものである。端部ガイドレール８の内面にゴム板等（図示せず）を貼り付けておけば、ローラとの接触により生じる騒音を低減することができる。
【００４６】
９は、コンベヤ送り側の始端部上に設けられたびん投入用シュートである。ここからカレットが含まれたびんがチェーンコンベヤ１上に投入される。びん投入用シュート９の上面にゴム板等を貼り付けておけば、びん投入時の騒音およびびんの割れを防止することができる。
【００４７】
１０は、コンベヤ送り側の終端部、すなわち、一対の端部ガイドレール８の下部間に設けられたふるい上被分別物の回収手段としてのびん回収用シュートである。びん回収用シュート１０により回収されるものには、分別されたびんの他、コンベヤ送り側のローラ２間から落下しない大きさのふるい上カレットも含まれる。ふるい上被分別物の回収手段としては、シュート１０以外に、分別されたびんをびんの色別の分別工程に搬送する搬送コンベヤであっても良い。
【００４８】
１１は、コンベヤ戻り側の下方部に設けられた、コンベヤ戻り側のローラ２Ａ間から落下したふるい下被分別物の回収手段としてのホッパである。ふるい下被分別物の回収手段としては、ホッパ１１以外にカレット引出しコンベヤ等であっても良い。ホッパ１１により回収されたカレットは、ピット（図示せず）に溜めておいても、あるいは、搬送コンベヤ（図示せず）により搬送しても良い。
【００４９】
以上のように構成されている、この発明の他の分別搬送装置によれば、以下のようにして、びんとカレットとが分別される。
【００５０】
びん投入用シュート９からカレットが混入したびんがチェーンコンベヤ１上に投入されると、これらはコンベヤ送り側始端部から終端部に向って水平に移動するローラ２Ａ、２Ｂによって連続的に搬送される。この搬送過程においてカレットは、コンベヤ送り側のローラ２Ａ、２Ｂ間から落下する。この際、コンベヤ送り側のローラ２Ａ、２Ｂは、上部ガイドレール７上を回転しながら移動するので、ローラ２Ａ、２Ｂ上のカレットは、ローラ２Ａ、２Ｂ間から落下しやすい。
【００５１】
ローラ２Ａ、２Ｂがコンベヤ送り側終端部まで移動すると、びんは、びん回収用シュート１０を介して回収される。ローラ２Ａ、２Ｂがコンベヤ送り側から戻り側に反転する際、ローラ２Ａ、２Ｂは、端部ガイドレール８によってガイドされながら反転するので、ローラ２Ａ、２Ｂの反転時の反動により生じる振動や騒音は大幅に軽減される。ローラ２Ａ、２Ｂが完全に反転すると、ローラ２Ａ、２Ｂは、チェーン４から自重により垂直に垂れ下がる。この結果、コンベヤ戻り側のローラ間隔（ｔ2）は、コンベヤ送り側のローラ間隔（ｔ1）に比べて２倍の間隔に広がる。従って、ローラ２Ａ、２Ｂ間から落下したカレットがコンベヤ戻り側のローラ２Ａ間に挟まる恐れはない。ローラ２Ａ、２Ｂは、この状態を維持してコンベヤ戻り側終端部まで移動し、再び、上部ガイドレール７上を回転する。
【００５２】
このようにしてびんとカレットとが確実に分別される。分別されたびんには、コンベヤ送り側のローラ２間から落下しない大きさのカレットも含まれる。
【００５３】
この分別搬送装置によれば、上述したように、ローラ間から落下したカレットがコンベヤ戻り側のローラ間に挟まる恐れはないので、ホッパやカレット引出しコンベヤ等のふるい下被分別物の回収手段をコンベヤ戻り側の下方部に設けることができる。従って、ふるい下被分別物の回収手段をコンベヤ送り側とコンベヤ戻り側との間に設置する場合に比べて、分別搬送装置の小型化を図ることができる。また、コンベヤ送り側でローラ間に挟まった被分別物をコンベヤ戻り側で確実にローラ間から除去することができる。さらに、コンベヤ送り側のローラが回転することによって、分別効率をさらに高めることが可能となる。
【図面の簡単な説明】
【００５４】
【図１】この発明の分別搬送装置を示す概略正面図である。
【図２】この発明の分別搬送装置を示す部分平面図である。
【図３】この発明の他の分別搬送装置を示す概略正面図である。
【図４】この発明の他の分別搬送装置を示す部分平面図である。
【図５】この発明の他の分別搬送装置を示す部分斜視図である。
【図６】従来の分別搬送装置を示す概略正面図である。
【符号の説明】
【００５５】
１：チェーンコンベヤ
２、２Ａ、２Ｂ：ローラ
３Ａ：駆動側スプロケット
３Ｂ：従動側スプロケット
４：駆動用チェーン
５、５Ａ、５Ｂ：リンク板
６：軸
７：上部ガイドレール
８：端部ガイドレール
９：びん投入用シュート
１０：びん回収用シュート
１１：ホッパ
【図１】
2005279572.tif 000003
【図２】
2005279572.tif 000004
【図３】
2005279572.tif 000005
【図４】
2005279572.tif 000006
【図５】
2005279572.tif 000007
【図６】
2005279572.tif 000008